(57)【要約】【課題】本発明の目的は、衣料品の乾燥効率を高めることのできる衣料品乾燥具を提供することである。【解決手段】衣料品乾燥具１０を、衣服（衣料品）１２を掛けるハンガー１４にドライヤー１６を固定する固定手段１８と、ハンガー１４に掛けた衣服１２の内側から、ドライヤー１６の吹出口２０から吹き出す乾燥空気を拡散噴出させて衣服１２に当てる空気噴出手段２２と、を備えて構成した。空気噴出手段２２を、ドライヤー１６の吹出口２０に固定される乾燥空気取込部３６と、ドライヤー１６の吹出口２０から吹き出す乾燥空気を拡散させる中空部と、中空部内の乾燥空気を噴出する複数の噴出孔４０と、を備えて構成した。【選択図】図１
2009125196.tif 000002
【特許請求の範囲】
【請求項１】
衣料品を掛けるハンガーにドライヤーを固定する固定手段と、
前記ハンガーに掛けた衣料品の内側から、前記ドライヤーの吹出口から吹き出す乾燥空気を拡散噴出させて該衣料品に当てる空気噴出手段と、
を備えた衣料品乾燥具。
【請求項２】
前記空気噴出手段が、前記ドライヤーの吹出口に固定される乾燥空気取込部と、前記ドライヤーの吹出口から吹き出す乾燥空気を拡散させる中空部と、該中空部内の乾燥空気を噴出する複数の噴出孔と、を備えた請求項１に記載する衣料品乾燥具。
【請求項３】
前記空気噴出手段を前記ハンガーに着脱可能に固定する取付手段を備えた請求項１又は請求項２に記載する衣料品乾燥具。
【発明の詳細な説明】
【技術分野】
【０００１】
本発明は、衣服や服飾品等の衣料品をドライヤーを用いて乾燥する衣料品乾燥具に関する。
【背景技術】
【０００２】
従来から、衣服の収納や乾燥のためにハンガーが使用されている。また、衣服の乾燥効率を高めるためのハンガーについての出願も行われている（例えば、特許文献１及び特許文献２参照。）。
【特許文献１】特開２００７−１１７５２９号公報
【特許文献２】特開２００７−１４４１０２号公報
【０００３】
しかし、これらのハンガーは、衣服を立体的に広げて乾燥の効率化を図るものではあるが、単に大気によって衣服を乾燥させるものであり、より乾燥効率を高めることが望まれている。
【発明の開示】
【発明が解決しようとする課題】
【０００４】
本発明は、衣料品の乾燥効率を高めることのできる衣料品乾燥具を提供することを目的とする。
【課題を解決するための手段】
【０００５】
本発明の衣料品乾燥具は、衣料品を掛けるハンガーにドライヤーを固定する固定手段と、前記ハンガーに掛けた衣料品の内側から、前記ドライヤーの吹出口から吹き出す乾燥空気を拡散噴出させて該衣料品に当てる空気噴出手段と、を備えたことを特徴とする。
【０００６】
また、本発明の衣料品乾燥具は、前記衣料品乾燥具において、前記空気噴出手段が、前記ドライヤーの吹出口に固定される乾燥空気取込部と、前記ドライヤーの吹出口から吹き出す乾燥空気を拡散させる中空部と、該中空部内の乾燥空気を噴出する複数の噴出孔と、を備えたことを特徴とする。
【０００７】
また、本発明の衣料品乾燥具は、前記衣料品乾燥具において、前記空気噴出手段を前記ハンガーに着脱可能に固定する取付手段を備えたことを特徴とする。
【発明の効果】
【０００８】
本発明に係る衣料品乾燥具によれば、ドライヤーからの乾燥空気を拡散噴出させ衣料品の内側から当てて全体に渡って乾燥することができる。このため、衣料品の乾燥効率を高めることができる。また、空気噴出手段をハンガーに着脱可能に固定する取付手段を備えた本発明の衣料品乾燥具によれば、空気噴出手段及び取付手段を携帯することにより、ホテルの備品のドライヤーを用いて衣料品を効率的に乾燥することができる。
【発明を実施するための最良の形態】
【０００９】
本発明に係る衣料品乾燥具について図面に基づいて詳しく説明する。図１において、符号１０は本発明の衣料品乾燥具である。
【００１０】
本発明の衣料品乾燥具１０は、衣服（衣料品）１２を掛けるハンガー１４にドライヤー１６を固定する固定手段１８と、ハンガー１４に掛けた衣服１２の内側から、ドライヤー１６の吹出口２０から吹き出す乾燥空気を拡散噴出させて衣服１２に当てる空気噴出手段２２と、を備えている。
【００１１】
ハンガー１４は、従来から衣服１２等を掛けるために使用されている衣服用のハンガーである。ドライヤー１６は、ホテルや家庭で用いられているもので、スイッチ２４を押すことにより吹出口２０から乾燥空気を吹き出して髪の毛を乾燥させるためのヘアドライヤーである。
【００１２】
固定手段１８は、図２（ａ）に示すように、面ファスナー２６によってハンガー１４に固定できる２本の帯状部材２８と、帯状部材２８に対して直角方向に固定され面ファスナー３０によってドライヤー１６の胴体３２に固定できる帯状部材３４とを備えて構成されている。
【００１３】
空気噴出手段２２は、図２（ｂ）に示すように、袋状に構成され、ドライヤー１６の吹出口２０に固定される乾燥空気取込部３６と、ドライヤー１６の吹出口２０から吹き出す乾燥空気を拡散させる中空部と、中空部内の乾燥空気を噴出する複数の噴出孔４０と、を備えて構成されている。なお、固定手段１８が、後述するように、空気噴出手段２２をハンガー１４に着脱可能に固定する取付手段として機能することとなる。空気噴出手段２２は、両端が弛まないようにハンガー１４に固定する帯状部材４１が備えられている。また、ドライヤー１６を取付けた時に、ピン３８等に固定して乾燥空気取込部３６を上へ引き上げるための帯状部材４３を備えている。
【００１４】
このような衣料品乾燥具１０を使用して衣服１２を乾燥させる作用について以下に説明する。
【００１５】
最初に、ハンガー１４を壁のピン３８に引っ掛け、図３（ａ）に示すように、固定手段１８の帯状部材２８をハンガー１４に巻き付けながら一端の面ファスナー２６と他端の面ファスナー２６とを接合することにより、固定手段１８をハンガー１４に固定する。次に、ドライヤー１６の吹出口２０を空気噴出手段２２の乾燥空気取込部３６に挿入した状態で、固定手段１８の帯状部材３４を空気噴出手段２２の乾燥空気取込部３６及びドライヤー１６の胴体３２に巻き付けながら一端の面ファスナー３０と他端の面ファスナー３０とを接合することにより、図３（ｂ）に示すように、ハンガー１４、ドライヤー１６及び空気噴出手段２２が互いに強固に固定される。なお、帯状部材２８又は３４を解除すれば、空気噴出手段２２をハンガー１４から取り外すことができ、固定手段１８は、空気噴出手段２２をハンガー１４に着脱可能に固定する取付手段としても機能する。
【００１６】
このようにして、ハンガー１４にドライヤー１６が固定された状態で、図１に示すように、衣服１２がハンガー１４に掛けられる。次に、ドライヤー１６のスイッチ２４が押されると、ドライヤー１６が作動して吹出口２０から乾燥空気が吹き出す。吹き出した乾燥空気は空気噴出手段２２の中空部内で拡散した後、複数の噴出孔４０から中空部の外部へ噴出する。中空部の外部へ噴出した乾燥空気は衣服１２の内側に当たり、衣服１２は乾燥空気１２によって内側から乾燥することとなる。また、乾燥空気が内側から衣服１２に当たるため、衣服１２が膨らみながら乾燥空気が当たり、衣服１２全体に渡って乾燥空気が当たりながら循環することとなる。
【００１７】
本発明に係る衣料品乾燥具１０によれば、ドライヤー１６からの乾燥空気を拡散噴出させ衣服１２の内側から当てて全体に渡って乾燥することができる。このため、衣服１２の乾燥効率を高めることができる。
【００１８】
また、固定手段１８及び空気噴出手段２２を鞄等に入れて携帯すれば、ホテルの備品であるヘアドライヤーを用いて衣服等を効率的に乾燥することができる。よって、固定手段１８及び空気噴出手段２２は、折り畳みやすい軟体部材から構成されていることが望ましい。
【００１９】
以上、本発明に係る衣料品乾燥具の一実施例について説明したが、本発明は上述のものに限定されない。例えば、図４に示す衣料品乾燥具５０であってもよい。この衣料品乾燥具５０は、固定手段５２と空気噴出手段５４とを備えて構成されている。空気噴出手段５４は、衣服１２を掛けても変形しない樹脂等の堅体部材から構成され、ピン３８に引っ掛けることのできる係合部５６を備えており、ハンガーとしての機能をも有する。固定手段５２は、空気噴出手段５４に螺合できるとともにドライヤー１６の吹出口２０に螺合できるように構成され、ハンガーとしての機能を有する空気噴出手段５４にドライヤー１６を固定できる。
【００２０】
この衣料品乾燥具５０は、固定手段５２を介してドライヤー１６を空気噴出手段５４に固定し、係合部５６を壁のピン３８に引っ掛けた状態で、図４に示すように衣服１２を掛けることができる。このため、衣服１２の内側から乾燥空気を当てて効率的に乾燥することができる。
【００２１】
また、図５に示す衣料品乾燥具６０であってもよい。この衣料品乾燥具６０は、固定手段６２及び空気噴出手段６４が一体的に構成されている。固定手段６２は、帯状部材７０及び７４から構成されている。この衣料品乾燥具６０は、ドライヤー１６の吹出口２０を乾燥空気取込部６６に挿入した状態で、カバー６８及び帯状部材７０をドライヤー１６の胴体３２に巻き付けて面ファスナー７２同士を接合することによりドライヤー１６を衣料品乾燥具６０に固定できる。次に、帯状部材７４をハンガー１４に巻き付けて面ファスナー７６同士を接合することにより、衣料品乾燥具６０をハンガー１４に固定することができ、結果的にハンガー１４にドライヤー１６を固定できる。
【００２２】
また、空気噴出手段２２の代替として図６（ａ）に示す空気噴出手段８０を使用してもよい。この空気噴出手段８０は、孔４０が設けられていないが、通気性部材から構成されることにより、乾燥空気を噴出させることができる。また、空気噴出手段２２の代替として図６（ｂ）に示す空気噴出手段８２を使用してもよい。この空気噴出手段８２は、胴部８４が備えられており、ドライヤー１６からの乾燥空気を広く拡散できるとともに、ドライヤー１６からの乾燥空気が空気噴出手段８２の裏側に直接当たるのを防止して安全性を向上させることができる。
【００２３】
以上、本発明に係る衣料品乾燥具の実施例について、図面に基づいて説明したが、本発明に係る衣料品乾燥具は図示したものに限定されるものではない。例えば、本発明の衣料品乾燥具によって乾燥する衣料品は衣服に限定されず、ハンカチやタオル等の服飾品であってもよい。
【００２４】
以上、本発明の衣料品乾燥具の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【産業上の利用可能性】
【００２５】
本発明の衣料品乾燥具によれば、衣料品の乾燥効率を高めることができる。このため、家庭やホテル等で広く利用できる。
【図面の簡単な説明】
【００２６】
【図１】本発明に係る衣料品乾燥具の実施例を示す正面図である。
【図２】図１の衣料品乾燥具を示す図であり、同図（ａ）は固定手段であり、同図図１の衣料品乾燥具を示す図であり、同図（ａ）は固定手段であり、同図（ｂ）は空気噴出手段である。
【図３】図１の衣料品乾燥具の使用状態を示す図であり、同図（ａ）は固定手段をハンガーに取り付けた状態を示す正面図であり、同図（ｂ）はドライヤー及び空気噴出手段を取り付けた状態を示す正面図である。
【図４】本発明に係る衣料品乾燥具の他の実施例を示す正面図である。
【図５】本発明に係る衣料品乾燥具の更に他の実施例を示す正面図である。
【図６】本発明の衣料品乾燥具が備える空気噴出手段の他の実施形態を示す正面図である。
【符号の説明】
【００２７】
１０、５０、６０；衣料品乾燥具
１２；衣服（衣料品）
１４；ハンガー
１６；ドライヤー
１８；固定手段（取付手段）
２０；吹出口
２２、５４、８０，８２；空気噴出手段
２４；スイッチ
３６；空気取込口
４０；噴出孔
５２；固定手段
【図１】
2009125196.tif 000003
【図２】
2009125196.tif 000004
【図３】
2009125196.tif 000005
【図４】
2009125196.tif 000006
【図５】
2009125196.tif 000007
【図６】
2009125196.tif 000008